(57)【要約】【課題】同一番組を異なるフォーマットで放送する場合に、各フォーマットの放送信号を同時に収録可能な放送番組収録システムを提供する。【解決手段】操作端末装置１１３は、収録指示データで指定される素材コードに基づいて素材管理サーバ１１２に登録されるＨＤ／ＳＤ素材の中から該当する素材を検索し、ＨＤ／ＳＤ−ＶＴＲ群１３に該当する素材を再生させ、ビデオコンバータ１１５によりＳＤ素材、ＨＤ素材を生成する。ここで、素材コードに付加されているフォーマットコードがＳの場合には番組収録サーバ１１４にＳＤ素材のみを指定して収録させ、Ｈの場合には番組収録サーバ１１４にＨＤ素材のみを指定して収録させ、Ｗの場合には番組収録サーバ１１４にＳＤ素材及びＨＤ素材を指定して収録させる。【選択図】      図１
2005244712.tif 000002
【特許請求の範囲】
【請求項１】
第１フォーマットの放送番組素材と第２フォーマットの放送番組素材を選択的に連動させて同時に収録することを特徴とする放送番組収録システム。
【請求項２】
同一番組素材から第１フォーマット及び第２フォーマットの放送番組素材を作成する素材コンバータと、
第１フォーマットの放送番組素材のみ収録する第１モード、第１及び第２フォーマットの放送番組素材を収録する第２モードのいずれかを選択指示する選択指示手段と、
前記素材コンバータから前記選択指示に応じたモードの放送番組素材を取得して収録する収録サーバとを具備することを特徴とする放送番組収録システム。
【請求項３】
前記選択指示手段は、予めモード毎に対応付けられたキーコードにより選択指示することを特徴とする請求項２記載の放送番組収録システム。
【請求項４】
前記第１フォーマットは標準テレビジョン信号であり、前記第２フォーマットは高品位テレビジョン信号であることを特徴とする請求項１または２記載の放送番組収録システム。
【請求項５】
前記第１フォーマットは標準テレビジョン信号であり、前記第２フォーマットは標準テレビジョン信号の縮小信号であることを特徴とする請求項１または２記載の放送番組収録システム。
【請求項６】
同一番組素材から第１フォーマット及び第２フォーマットの放送番組素材を作成する素材作成ステップと、
第１フォーマットの放送番組素材のみ収録する第１モード、第１及び第２フォーマットの放送番組素材を収録する第２モードのいずれかを選択指示する選択指示ステップと、
前記素材作成ステップから前記選択指示に応じたモードの放送番組素材を取得して収録する収録ステップとを具備することを特徴とする放送番組収録方法。
【請求項７】
前記選択指示ステップは、予めモード毎に対応付けられたキーコードにより選択指示することを特徴とする請求項６記載の放送番組収録方法。
【発明の詳細な説明】
【技術分野】
【０００１】
本発明は、例えば地上波放送のサイマル放送を考慮した放送番組収録システムと放送番組収録方法に関する。
【背景技術】
【０００２】
近時、我が国では地上波デジタル放送が開始される予定であるが、現行のアナログ放送からデジタル放送への移行期間として、一定期間、両放送を同時に行うサイマル放送が実施される。この際、アナログ放送では標準テレビジョン信号（以下、ＳＤ信号）を放送し、デジタル放送では高品位テレビジョン信号（以下、ＨＤ信号）を放送することが予想される。
【０００３】
これに対し、従来の地上波放送用の放送番組収録システムでは、ＳＤ信号のみが収録されており（例えば特許文献１参照）、デジタル放送の開始に伴い、新たにＨＤ信号を収録可能な放送番組収録システムが開発されている。しかしながら、ＳＤ用とＨＤ用に別々の収録システムを用意することは不経済であり、同一番組を異なるフォーマットで別々の収録システムに記録することは倍の収録時間が必要となり、煩雑な作業となる。  
【特許文献１】特開２００２−２８０９８６号公報
【発明の開示】
【発明が解決しようとする課題】
【０００４】
以上述べたように、地上波放送のサイマル放送実施に際し、現状ではＳＤ用とＨＤ用の各放送番組収録システムを併用しなければならない。  
本発明は上記の課題を解決するためになされたもので、同一番組を異なるフォーマットで放送する場合に、各フォーマットの放送信号を同時に収録可能な放送番組収録システムと放送番組収録方法を提供することを目的とする。
【課題を解決するための手段】
【０００５】
上記の課題を解決するために、本発明に係る放送番組収録システムは、同一番組素材から第１フォーマット（例えばＳＤ）及び第２フォーマット（例えばＨＤ）の放送番組素材を作成する素材コンバータと、第１フォーマットの放送番組素材のみ収録する第１モード、第１及び第２フォーマットの放送番組素材を収録する第２モードのいずれかを選択指示する選択指示手段と、前記素材コンバータから前記選択指示に応じたモードの放送番組素材を取得して収録する収録サーバとを具備することを特徴とする。
【０００６】
上記構成によれば、１台のシステムに例えばＨＤとＳＤの互いに異なるフォーマットの放送番組素材を指示に応じていずれか一方または両方を選択的に収録可能としているので、例えばサイマル放送で、ＨＤをデジタル放送で流し、ＳＤをアナログ放送で流す場合でも、両者を同時に連動させて収録することができ、１度の操作で２つのフォーマットの放送番組素材を収録／再生することが可能となる。
【発明の効果】
【０００７】
以上のように本発明によれば、同一番組を異なるフォーマットで放送する場合に、各フォーマットの放送信号を同時に収録可能な放送番組収録システムと放送番組収録方法を提供することができる。
【発明を実施するための最良の形態】
【０００８】
以下、本発明の実施の形態を詳細に説明する。  
図１は本発明に係る放送番組収録システムとその周辺構成を示すブロック図である。図１において、符号１１は放送番組収録システムである。このシステム１１では、バス１１１上に素材管理サーバ１１２、操作端末装置１１３及び番組収録サーバ１１４が接続される。また、バス１１１上には、システム外部の編成営放システム１２、ＨＤ／ＳＤ−ＶＴＲ群１３、ＡＰＣ（自動番組送出制御装置）１４が接続される。
【０００９】
素材管理サーバ１１２には、予め放送番組用に制作された素材（ＣＭ（コマーシャル）、ＶＡＦ（ビデオ・オーディオファイル）、テキスト等）毎に付与される素材コードとその保管場所、ＨＤ／ＳＤフォーマットの種別等の情報が登録されている。操作端末装置１１３は、編成営放システム１２からの収録指示データに基づいて素材管理サーバ１１２に登録されるＨＤ／ＳＤ素材の中から放送番組に必要な素材を検索し、ＨＤ／ＳＤ−ＶＴＲ群１３に該当する素材を再生させ、番組収録サーバ１１４に収録を開始させる。
【００１０】
上記ＨＤ／ＳＤ−ＶＴＲ群１３から送出される再生素材はビデオコンバータ（Ｖ／Ｃ）１１５に送られる。このビデオコンバータ１１５は、入力素材がＨＤフォーマットであるときはそのＨＤ素材からＳＤフォーマットの素材を生成し、ＳＤフォーマットであるときはそのＳＤ素材からＨＤフォーマットの素材を生成する。ビデオコンバータ１１５から出力されるＨＤ素材、ＳＤ素材は共に番組収録サーバ１１４に送られる。この番組収録サーバ１１４は、操作端末装置１１３からの指示により、入力ＨＤ／ＳＤ素材をＳＤのみ、ＨＤのみ、ＳＤ＋ＨＤのいずれかのモードで収録する。このようにして番組収録サーバ１１４に収録された放送番組ファイルは、ＡＰＣ１４からの指示によって予定時刻に読み出され、オンエアされる。
【００１１】
ここで、本発明の特徴とする点は、編成営放システム１２からの収録指示データとして、素材を指定する素材コードに収録フォーマットを示すフォーマットコードを付加するものとし、さらにサイマル放送でＳＤとＨＤが必要となる場合を考慮して、フォーマットコードに両フォーマットの連動を指定する連動コードを追加した点にある。例えば、素材コード１２３４５に対してＳＤのみで収録する場合にはコードＳを付加し、ＨＤのみで収録する場合にはコードＨを付加し、ＳＤ＋ＨＤで収録する場合にはコードＷを付加するものとする。
【００１２】
図２は上記操作端末装置１１３において、上記編成営放システム１２から収録指示データが与えられた場合の処理の流れを示すフローチャートである。  
図２において、操作端末装置１１３では、収録指示データの入力を判断し（ステップＳ１）、入力があった場合には、その収録指示データで指定される素材コードに基づいて素材管理サーバ１１２に登録されるＨＤ／ＳＤ素材の中から該当する素材を検索し（ステップＳ２）、ＨＤ／ＳＤ−ＶＴＲ群１３に該当する素材を再生させ（ステップＳ３）、ビデオコンバータ１１５によりＳＤ素材、ＨＤ素材を生成させる（ステップＳ４）。
【００１３】
ここで、素材コードに付加されているフォーマットコードを判断し、コードがＳの場合には番組収録サーバ１１４にＳＤ素材のみを指定して収録させ（ステップＳ５，Ｓ６）、Ｈの場合には番組収録サーバ１１４にＨＤ素材のみを指定して収録させ（ステップＳ７，Ｓ８）、Ｗの場合には番組収録サーバ１１４にＳＤ素材及びＨＤ素材を指定して収録させる（ステップＳ９）。
【００１４】
したがって、上記構成による放送番組収録システムによれば、収録指示データに素材コードと共にフォーマットコードとしてＳ，Ｈ，Ｗを付加するだけで、オンエアする放送番組のフォーマットを指定可能とし、さらにサイマル放送における同一番組のＨＤ、ＳＤの各フォーマットを連携させて同時収録することが可能となり、１度の操作で２つのフォーマットの放送番組素材を収録／再生することが可能となる。
【００１５】
尚、上記実施形態では、サイマル放送を考慮して、ＨＤ＋ＳＤの収録モードを備えるものとしたが、本発明はこれに限定されるものではない。例えば、地上デジタル放送では、ＳＤと共に移動体・携帯用受信端末のための縮小ＳＤを同時放送することも提案されている。そこで、上記実施形態において、ビデオコンバータ１１５にＳＤから縮小ＳＤを生成する機能を持たせ、フォーマットコードとしてＳＤ＋縮小ＳＤを指定するコード（例えばＣ）を追加する。これにより、収録指示データにコードＣが付加させていた場合には、ＳＤ及び縮小ＳＤを連動番組として同時に収録することが可能となる。
【図面の簡単な説明】
【００１６】
【図１】本発明に係る放送番組収録システムとその周辺構成を示すブロック図。
【図２】上記実施形態の操作端末装置において、収録指示データが与えられた場合の処理の流れを示すフローチャート。
【符号の説明】
【００１７】
１１…放送番組収録システム、１１１…バス、１１２…素材管理サーバ、１１３…操作端末装置、１１４…番組収録サーバ、１１５…ビデオコンバータ（Ｖ／Ｃ）、１２…編成営放システム、１３…ＨＤ／ＳＤ−ＶＴＲ群、１４…ＡＰＣ（自動番組送出制御装置）。
【図１】
2005244712.tif 000003
【図２】
2005244712.tif 000004